(57)【要約】【課題】４極ステレオミニケーブル１１は左右の音声信号線Ｌ，Ｒ、制御信号線Ｃ及びグランド線Ｇを有する。４極ステレオミニケーブル１１による映像信号の伝送を実現する。【解決手段】ポータブルメモリ録再機器１２へ接続ケーブルが接続されると（Ｓ３１正）、該接続ケーブルが４極か３極かを判定する（Ｓ３２）。線Ｃ，Ｇ間が非短絡状態であれば、４極ステレオミニケーブル１１であると判定し、線Ｃは制御信号用に使用されているか否かを判定する（Ｓ３４）。ＣＤシステム機器１０が制御信号対応機である場合、制御信号をポータブルメモリ録再機器１２へ送信することがあり得るとともに、Ｃ線は所定の電圧以上（例：＋５Ｖ以上）に維持される。Ｃ線が所定の電圧未満（例：＋５Ｖ未満）であれば、線Ｃが制御信号用に使用しないと判断して、線Ｃを映像信号用に使用する（Ｓ３６）。【選択図】図３
2010288050.tif 000002
【特許請求の範囲】
【請求項１】
左チャネルの音声信号用の伝送路と右チャネルの音声信号用の伝送路と制御信号の伝送路とを有し相手機へ接続される接続ケーブルにおける前記制御信号の伝送路について、それが第１の信号の伝送に使用しているか否かを判定する使用判定手段、及び
前記使用判定手段の判定が否である場合には、前記所定の伝送路を前記第１の信号とは別の第２の信号の伝送用に割当てる割当て手段、
を備えることを特徴とする情報処理装置。
【請求項２】
前記使用判定手段は、前記所定の伝送路の印加電圧に基づき判定を行うことを特徴とする請求項１記載の情報処理装置。
【請求項３】
前記使用判定手段は、前記所定の伝送路における制御信号の検出に基づき判定を行うことを特徴とする請求項１又は２記載の情報処理装置。
【請求項４】
前記割当て手段が、前記所定の伝送路を第２の信号の伝送に割当てる場合には、第１の信号を第２の信号に重畳して伝送する信号伝送手段、
を備えることを特徴とする請求項１〜３のいずれか１項に記載の情報処理装置。
【請求項５】
第１及び第２の信号はそれぞれ制御信号及び映像信号であることを特徴とする請求項１〜４のいずれか１項に記載の情報処理装置。
【請求項６】
前記接続ケーブルは４極ステレオケーブルを用いることを特徴とする請求項５記載の情報処理装置。
【請求項７】
左チャネルの音声信号用の伝送路と右チャネルの音声信号用の伝送路と制御信号の伝送路とを有し相手機へ接続される接続ケーブルにおける前記制御信号の伝送路について、それが第１の信号の伝送に使用しているか否かを判定する使用判定ステップ、及び
前記使用判定ステップの判定が否である場合には、前記所定の伝送路を前記第１の信号とは別の第２の信号の伝送用に割当てる割当てステップ、
を備えることを特徴とする情報処理方法。
【請求項８】
請求項１〜６のいずれか１項に記載の情報処理装置の各手段としてコンピュータを機能させるプログラム。
【発明の詳細な説明】
【技術分野】
【０００１】
本発明は、携帯型録再機（プレーヤ・レコーダ）などの情報処理装置、方法及びプログラムに関する。
【背景技術】
【０００２】
携帯型録再機などのポータブル機器をホームオーディオやカーオーディオなどの据え置き機器へ接続して、ポータブル機器の楽曲の左右チャネルの音声信号をポータブル機器から据え置き機器へ伝送するためには、Ｌ（左音声信号）、Ｒ（右音声信号）及びＧＮＤ（グランド）の３極の接続線が必要となり、周知の３極ステレオケーブルが使用されている。さらに、周知の４極ステレオケーブルは、３極ステレオケーブルの接続線の他にＣ（制御信号）の接続線が追加されている。ポータブル機器を４極ステレオケーブルにより据え置き機器へ接続した場合には、Ｃの接続線を介して据え置き機器からポータブル機器への各種の制御信号を伝送することができるようになっている。
【０００３】
特許文献１は、ポータブルＨＤＤ録再機器をＣＤシステム機器へ４極ステレオケーブルにより接続して、制御信号をＣＤシステム機器からポータブルＨＤＤへ送ることにより、ポータブルＨＤＤ録再機器の楽曲の再生音をＣＤシステム機器のスピーカから出力させたり、ＣＤシステム機器のＣＤの楽曲をポータブルＨＤＤ録再機器の記憶装置に記録したりすることを開示する（特許文献１の段落０００３、００３３、００３５及び００４２）。
【先行技術文献】
【特許文献】
【０００４】
【特許文献１】特開２００７−１７９６３７号公報
【発明の概要】
【発明が解決しようとする課題】
【０００５】
携帯型録再機には、音声だけでなく、動画や静止画などの映像の再生及び出力機能を持つものがある。そのような携帯型録再機の場合、据え置き機器とポータブル機器との間で映像信号を送受するためには、接続ケーブルが映像信号用の接続線を装備する必要があるが、従来の３極及び４極のステレオケーブルは、映像信号用の接続線を装備しておらず、さらに１極、追加する必要がある。
【０００６】
特許文献１は、ポータブルＨＤＤ録再機器を１本の４極ステレオケーブルによりＣＤシステム機器へ接続し、接続線Ｌが、接続線Ｃを介するＣＤシステム機器からポータブルＨＤＤ録再機器への記録要求の制御信号に対して、所定時間だけポータブルＨＤＤ録再機器からＣＤシステム機器へのポータブルＨＤＤ録再機器の了解の信号を伝送するのに使用され、該信号伝送後は接続線Ｌを本来の左音声信号の伝送用に戻すことを開示するものの（特許文献１の図３）、映像信号の追加に４極ステレオケーブルを具体的にどのように対処させるかについては言及していない。
【０００７】
本発明の目的は、伝送路の数を増大することなく、複数種類の信号の伝送を可能にすることができる情報処理装置、方法及びプログラムを提供することである。
【課題を解決するための手段】
【０００８】
本発明によれば、左チャネルの音声信号用の伝送路と右チャネルの音声信号用の伝送路と制御信号の伝送路とを有し相手機へ接続される接続ケーブルに対し、その制御信号の伝送路が第１の信号の伝送に使用していないと判断されるならば、該伝送路を第２の信号の伝送用に割当てる。
【０００９】
本発明の情報処理装置は次のものを備える。
左チャネルの音声信号用の伝送路と右チャネルの音声信号用の伝送路と制御信号の伝送路とを有し相手機へ接続される接続ケーブルにおける前記制御信号の伝送路について、それが第１の信号の伝送に使用しているか否かを判定する使用判定手段、及び
前記使用判定手段の判定が否である場合には、前記所定の伝送路を前記第１の信号とは別の第２の信号の伝送用に割当てる割当て手段。
【００１０】
本発明の情報処理方法は次のステップを備える。
左チャネルの音声信号用の伝送路と右チャネルの音声信号用の伝送路と制御信号の伝送路とを有し相手機へ接続される接続ケーブルにおける前記制御信号の伝送路について、それが第１の信号の伝送に使用しているか否かを判定する使用判定ステップ、及び
前記使用判定ステップの判定が否である場合には、前記所定の伝送路を前記第１の信号とは別の第２の信号の伝送用に割当てる割当てステップ。
【００１１】
本発明のプログラムは、情報処理装置の各手段としてコンピュータを機能させる。
【発明の効果】
【００１２】
本発明によれば、伝送路の数を増大することなく、複数種類の信号の伝送を可能にすることができる。
【図面の簡単な説明】
【００１３】
【図１】ＣＤシステム機器にポータブルメモリ録再機器を接続するときの状況説明図である。
【図２】４極ステレオミニケーブルの各接続線と共にＣＤシステム機器のブロック構成を示す図である。
【図３】信号割当て方法のフローチャートである。
【図４】重畳割当て方法のフローチャートである。
【図５】情報処理装置のブロック図である。
【図６】情報処理方法のフローチャートである。
【発明を実施するための形態】
【００１４】
図１はＣＤシステム機器１０にポータブルメモリ録再機器１２を接続するときの状況説明図である。ＣＤシステム機器１０は、家庭に置かれる据え置き型又はポータブル型や、車載機である。ポータブルメモリ録再機器１２は、録画及び映像再生機能付きＤＡＰ（Digital Audio Player）等、衣服のポケットや鞄に収納できるサイズ及び重量のものである。ユーザは、例えばポータブルメモリ録再機器１２のコンテンツをＣＤシステム機器１０から出力したい場合には、４極ステレオミニケーブル１１の両端のミニプラグをＣＤシステム機器１０及びポータブルメモリ録再機器１２のミニプラグ端子を差し込む。
【００１５】
図２は４極ステレオミニケーブル１１の各接続線と共にＣＤシステム機器１０のブロック構成を示している。４極ステレオミニケーブル１１は接続線Ｌ，Ｒ，Ｇ，Ｃを有している。接続線Ｌ，Ｒ，Ｇ，Ｃは、それぞれ音声Ｌ（左）の信号線、音声Ｒ（右）の信号線、グランド線及び制御線となっている。Ｃは、後述するように制御信号と映像信号とに共用される。
【００１６】
マイコン１４は、４極ステレオミニケーブル１１の線Ｃを介してＣＤシステム機器１０から受信した制御信号の有無及び／又は線Ｃの印加電圧に基づき、スイッチ１３及びＤＳＰ（Digital Signal Processor）１７へ所定の制御信号を送る。スイッチ１３は、マイコン１４からの制御により線Ｌ，Ｒ，ＣをＡ／Ｄ（アナログ／デジタル変換器）１５又はＤ／Ａ（デジタル／アナログ変換器）１６へ接続する。
【００１７】
スイッチ１３が線Ｌ，Ｒ，ＣをＡ／Ｄ１５へ接続するのは、ＣＤシステム機器１０におけるメディアのコンテンツをポータブルメモリ録再機器１２において記録する時であり、スイッチ１３が線Ｌ，Ｒ，ＣをＤ／Ａ１６へ接続するのは、ポータブルメモリ録再機器１２の保有コンテンツをＣＤシステム機器１０において出力する時である。また、スイッチ１３が線ＣをＡ／Ｄ１５又はＤ／Ａ１６へ接続するのは、後述するように、線Ｃを、制御信号ではなく、映像信号の伝送に使用する時である。線Ｃを制御信号用に使用する時は、スイッチ１３は線Ｃをマイコン１４へ接続する。
【００１８】
Ａ／Ｄ１５は、スイッチ１３からの各アナログ信号をデジタル信号へ変換して、ＤＳＰ１７へ送る。Ｄ／Ａ１６は、ＤＳＰ１７からの各デジタル信号をアナログ信号へ変換して、スイッチ１３へ送る。
【００１９】
ＤＳＰ１７は、Ａ／Ｄ１５からのデジタル信号を所定のフォーマットのデジタルデータへ符号化し、不揮発性メモリ（例：ハードディスク装置やフラッシュメモリ）１８に記録する。コンテンツの音声や映像は、不揮発性メモリ１８においてＭＰ３、ＷＭＡ及びＭＰＥＧ等の圧縮ファイル形式で記憶される。ＤＳＰ１７は、マイコン１４から再生指示のあった楽曲等のコンテンツのデータを不揮発性メモリ１８から読出し、それを復号してから、Ｄ／Ａ１６へ送る。
【００２０】
ポータブルメモリ録再機器１２の保有コンテンツをポータブルメモリ録再機器１２において再生する場合には、コンテンツの左右チャネルのデジタル音声信号がＤＳＰ１７から音声出力インターフェース２０へ送られる。音声出力インターフェース２０は、ＤＳＰ１７からのデジタル音声信号をアナログ音声信号へ変換するとともに、該アナログ音声信号を所定のレベルへ変換してから、左右のイヤホン２１へ出力する。左右のイヤホン２１は音声出力インターフェース２０からの音声信号を左右の音声に変換して、出力する。
一方、コンテンツの映像信号は、ＤＳＰ１７からカラー液晶装置などの表示器２２へ送られて、表示器２２において再生映像が出力される。表示器２２は、また、マイコン１４からの表示データに基づき各種の情報画面を表示する。
【００２１】
図３は信号割当て方法３０のフローチャートである。信号割当て方法３０はポータブルメモリ録再機器１２において実施される。Ｓ３１では、ポータブルメモリ録再機器１２のミニプラグ端子にＣＤシステム機器１０との接続ケーブルのプラグが接続されたか否かを判定し、判定が否である間は、Ｓ３１を所定の時間間隔で繰り返し実行し、判定が正になりしだい、Ｓ３２へ進む。ポータブルメモリ録再機器１２のミニプラグ端子にケーブルのプラグが接続されたか否かは、例えば、ポータブルメモリ録再機器１２への端子孔へのプラグの差込みにより作動するリミットスイッチを配備し、該スイッチの出力から判定することができる。
【００２２】
Ｓ３２では、接続されたプラグは４極ミニステレオケーブルのプラグが否かを判定し、判定が正であれば、Ｓ３４へ進み、否であれば、Ｓ３３へ進む。ユーザがポータブルメモリ録再機器１２をＣＤシステム機器１０へ接続する際に使用するケーブルには、３極ミニステレオケーブルと４極ミニステレオケーブルとの２種類がある。３極ミニステレオケーブルは、Ｌ（左音声），Ｒ（右音声），Ｇ（グランド）の３つの接続線を有し、４極ミニステレオケーブルは、さらに、Ｃ（制御）の接続線が追加されている。接続されたプラグが３極ミニステレオケーブルのものか、それとも４極ミニステレオケーブルのものかは、ポータブルメモリ録再機器１２におけるＧ端子−Ｃ端子間が短絡状態になっているかいないかにより検出することができる。接続されたプラグが３極ミニステレオケーブルのものである場合には、Ｇ端子−Ｃ端子間は短絡状態になっている。
【００２３】
Ｓ３３では、ポータブルメモリ録再機器１２はＣＤシステム機器１０との間での接続線Ｃを介する制御信号や映像信号の送受信は行わないことにする。なお、制御信号や映像信号の送受信を行わない場合には、ミニステレオケーブルが４極であって、接続線Ｃは存在するものの、接続線Ｃを介する制御信号や映像信号の送受信を行わない場合だけでなく、ミニステレオケーブルが３極であって、接続線Ｃが存在しないので、接続線Ｃを介する制御信号や映像信号の送受信をできない場合も含まれる。
【００２４】
こうして、ＣＤシステム機器１０−ポータブルメモリ録再機器１２間では、接続線Ｌ，Ｒを介する左右の音声信号は送受信は行われるものの、映像信号の送受信は行われない。なお、左右の音声信号は、４極ステレオミニケーブル１１においてＣＤシステム機器１０からポータブルメモリ録再機器１２へ伝送される場合と、ポータブルメモリ録再機器１２からＣＤシステム機器１０へ伝送される場合とが含まれる。前者は、例えばＣＤシステム機器１０のメディア（例：ＣＤ）のコンテンツ（例：楽曲）をポータブルメモリ録再機器１２の不揮発メモリ１８に記録する時に起こり、後者は、例えば、ポータブルメモリ録再機器１２の不揮発メモリ１８に記録済みとなっているコンテンツをＣＤシステム機器１０のスピーカから出力する時に起きる。また、接続線Ｃを介する制御信号の送受信を行わないので、ユーザは、前者及び後者の場合共に、ＣＤシステム機器１０及びポータブルメモリ録再機器１２の両方の操作部においてユーザ操作を行う必要がある。
【００２５】
Ｓ３４では、接続線Ｃは制御信号用に使用予定となっているか否かを判定し、判定が正であれば、Ｓ３５へ進み、否であれば、Ｓ３６へ進む。ＣＤシステム機器１０には、接続線Ｃを介してポータブルメモリ録再機器１２へ制御信号を送って、ポータブルメモリ録再機器１２にその楽曲の音声信号をＣＤシステム機器１０へ伝送させることができる制御信号対応機と非対応機とがある。ＣＤシステム機器１０が非対応機である場合には、ＣＤシステム機器１０は、４極ミニステレオケーブル１１を介してポータブルメモリ録再機器１２へ接続されても、ポータブルメモリ録再機器１２へ制御信号を送ることができない。ＣＤシステム機器１０が対応機であるか非対応機であるか、すなわち接続線Ｃは制御信号用に使用予定となっているか否かは、ポータブルメモリ録再機器１２は、接続線Ｃのプラグ端子の電圧が所定値（例：５Ｖ）以上であるか否かを調べることにより判断することができる。ＣＤシステム機器１０が対応機である場合には、ポータブルメモリ録再機器１２におけるＣ端子の電圧は該所定値以上になっている。
【００２６】
なお、ユーザはポータブルメモリ録再機器１２において４極ミニステレオケーブルの接続線Ｃをどのように扱うかをユーザ設定することができる。このユーザ設定には、（ａ１）接続線Ｃを常時、制御信号用にする設定、（ａ２）ポータブルメモリ録再機器１２が接続線Ｃにおける、ＣＤシステム機器１０からの制御信号の有無を調べ、制御信号有りの場合には接続線Ｃを制御信号用にし、制御信号無しの場合には接続線Ｃを映像信号用にする設定、及び（ａ３）接続線Ｃを常時、映像信号用にする設定が含まれる。Ｓ３４は、これらユーザ設定を踏まえて、行われる。すなわち、（ａ１）及び（ａ３）の場合のＳ３４の判定は、それぞれ正及び否となる。また、（ａ２）の場合のポータブルメモリ録再機器１２による接続線Ｃにおける、ＣＤシステム機器１０からの制御信号の有無は、例えば、ポータブルメモリ録再機器１２の電源投入時及びポータブルメモリ録再機器１２への４極ステレオミニケーブル１１の接続時（接続時には再接続時も含む。）に検査され、次の検査時まで検査結果に基づくＳ３４の判定結果を維持する。すなわち、次のＳ３５，Ｓ３６の設定を維持する。
【００２７】
Ｓ３５では、４極ミニステレオケーブル１１の接続線Ｃを制御信号送受信用に使用する。これにより、例えば、ポータブルメモリ録再機器１２の楽曲をＣＤシステム機器１０のスピーカから出力する場合、ＣＤシステム機器１０の操作部におけるユーザ操作（例：再生指示）に対応する制御信号がＣＤシステム機器１０からポータブルメモリ録再機器１２へ接続線Ｃを介して伝送され、ポータブルメモリ録再機器１２は、この制御信号に基づき該当の楽曲のデータを不揮発メモリ１８から読み出して、該楽曲の左右の再生音声信号を接続線Ｌ，Ｒを介してＣＤシステム機器１０へ送信する。
【００２８】
Ｓ３６では、４極ミニステレオケーブル１１の接続線Ｃを映像信号送受信用に使用する。これにより、例えば、ポータブルメモリ録再機器１２の不揮発メモリ１８に記憶されているＡＶ（Audio Visual）コンテンツをＣＤシステム機器１０の表示器及びスピーカにおいて再生する場合には、該コンテンツの左右の音声及び映像の信号がポータブルメモリ録再機器１２からＣＤシステム機器１０へそれぞれ接続線Ｌ，Ｒ，Ｃを介して伝送され、該音声及び映像がＣＤシステム機器１０の表示器及びスピーカから出力される。
【００２９】
図４は重畳割当て方法４０のフローチャートである。重畳割当て方法４０はポータブルメモリ録再機器１２において実施される。重畳割当て方法４０において、信号割当て方法３０のステップと同一のステップは、信号割当て方法３０の対応ステップに付けたステップ番号と同一のステップ番号を付けて、説明は省略し、相違点に付いて説明する。重畳割当て方法４０は、信号割当て方法３０のＳ３４，Ｓ３５をＳ４１，Ｓ４２に置き換えただけである。信号割当て方法３０との相違点のみを説明する。
【００３０】
Ｓ４１では、接続線Ｃを制御信号と映像信号との重畳用に使用するか否かを判定し、判定が正であれば、Ｓ４２へ進み、否であれば、Ｓ３６へ進む。
【００３１】
Ｓ４２では、接続線Ｃを、映像信号及び制御信号の重畳用に使用する。映像信号及び制御信号の重畳は、（ｂ１）接続線Ｃを介してＣＤシステム機器１０からポータブルメモリ録再機器１２へ伝送する映像信号及び制御信号の重畳と、（ｂ２）接続線Ｃを介してポータブルメモリ録再機器１２からＣＤシステム機器１０へ伝送する映像信号及び制御信号の重畳とがある。（ｂ１）は、例えばＣＤシステム機器１０のコンテンツをポータブルメモリ録再機器１２の不揮発メモリ１８に記録する時に行われ、（ｂ２）は、例えばポータブルメモリ録再機器１２のコンテンツをＣＤシステム機器１０から出力する場合である。（ｂ１）の場合の重畳処理はＣＤシステム機器１０が実施し、（ｂ１）の場合の重畳処理はポータブルメモリ録再機器１２が実施する。
【００３２】
重畳の具体的な仕方は時分割方式と周波数分割方式である。時分割方式の重畳では、制御信号を映像信号より優先させ、映像信号を伝送中に制御信号を伝送する必要が生じた場合には、映像信号の伝送を中断して、制御信号を伝送する。なお、制御信号及び映像信号は、前述（ｂ１）及び（ｂ２）のように、伝送方向が同一である場合のみであるので、送信側の機器が、制御信号及び映像信号のどちらを送信するかを決めて、切替タイミングを制御する。周波数分割方式の重畳を採用する場合には、制御信号の周波数を映像信号の周波数帯域外に設定する。
【００３３】
図５は情報処理装置５０のブロック図である。情報処理装置５０の具体例はポータブルメモリ録再機器１２である。情報処理装置５０は、記録機能のない再生専用機であってもよい。第２の信号としての映像信号を再生専用機から相手機のシステム機器へ伝送することがあるからである。情報処理装置５０は、また、コンテンツ録再機又はコンテンツ再生機以外の情報処理機であってもよい。情報処理装置５０は、さらに、ポータブル型でなくてもよい。なお、ＣＤシステム機器１０が情報処理装置５０の具体例であってもよいとする。情報処理装置５０は使用判定手段５１及び割当て手段５２を備える。
【００３４】
使用判定手段５１は、相手機へ接続された１本の接続ケーブルに含まれている所定の伝送路について、それが第１の信号の伝送に使用しているか否かを判定する。割当て手段５２は、使用判定手段５１の判定が否である場合には、所定の伝送路を第２の信号の伝送用に割当てる。
【００３５】
典型的には、第１及び第２の信号はそれぞれ制御信号及び映像信号である。典型的には、第１の信号は、所定の伝送路が本来伝送する信号に設定されているものである。所定の伝送路が４極ステレオケーブルの接続線Ｃである場合、該所定の伝送路が本来伝送する信号とは相手機から自機への制御信号となる。該４極ステレオケーブルは、制御信号の伝送路の他に、左チャネルの音声信号用の伝送路及び右チャネルの音声信号用の伝送路を含む。
【００３６】
こうして、情報処理装置５０では、１本の接続ケーブル内の所定の伝送路を第１及び第２の信号伝送に共用することができる。結果、第２の信号の伝送を確保するために、伝送路を１個追加することを省略することができる。
【００３７】
使用判定手段５１の判定は、典型的には、情報処理装置５０の電源がオンになった時、又は情報処理装置５０が接続ケーブルにより相手機へ接続された時（再接続された時も含む。）、行われ、その判定結果に基づく割当て手段５２の割当ては、使用判定手段５１における次の判定が行われるまで、維持する。
【００３８】
使用判定手段５１は、例えば、所定の伝送路の印加電圧に基づき判定を行う。情報処理装置５０の具体例としてのポータブルメモリ録再機器１２では、相手機が第１の信号としての制御信号の伝送対応機である場合、接続線Ｃが、制御信号の伝送中であるか否かに関係なく、所定の電圧（例：約５Ｖ）が印加される。
【００３９】
使用判定手段５１は、例えば、所定の伝送路における制御信号の検出に基づき判定を行う。なお、情報処理装置５０及びその相手機の具体例がそれぞれポータブルメモリ録再機器１２及びＣＤシステム機器１０であり、かつ第１及び第２の信号の具体例がそれぞれＣＤシステム機器１０からポータブルメモリ録再機器１２への制御信号及びポータブルメモリ録再機器１２からＣＤシステム機器１０への映像信号である場合、ポータブルメモリ録再機器１２は、ＣＤシステム機器１０への映像信号の非伝送期間に（この期間はポータブルメモリ録再機器１２が決めることができる。）、接続線Ｃにおける制御信号の検出を行うものとする。
【００４０】
情報処理装置５０はさらに信号伝送手段５３を備えることができる。信号伝送手段５３は、割当て手段５２が、所定の伝送路を第２の信号の伝送に割当てる場合には、第１の信号を第２の信号に重畳して伝送する。この場合、第１及び第２の信号の伝送方向は共に情報処理装置５０から相手機への伝送方向とする。伝送方向が相互に逆であれば、両信号を情報処理装置５０が重畳できないからである。
【００４１】
図６は情報処理方法６０のフローチャートである。情報処理方法６０は情報処理装置５０に適用される。Ｓ６１では、相手機へ接続された１本の接続ケーブルに含まれている所定の伝送路について、それが第１の信号の伝送に使用しているか否かを判定し、判定が正であれば、情報処理方法６０を終了し、否であれは、Ｓ６２へ進む。Ｓ６２では、所定の伝送路を第１の信号とは別の第２の信号の伝送用に割当てる。
【００４２】
Ｓ６１，Ｓ６２の処理は、情報処理装置５０（図５）の使用判定手段５１及び割当て手段５２の機能にそれぞれ対応している。したがって、使用判定手段５１及び割当て手段５２の機能について述べた具体的態様はＳ６１，Ｓ６２の処理についての具体的態様としても適用可能である。情報処理方法６０では、また、情報処理装置５０の信号伝送手段５３の機能に対応する処理を実行するステップを適宜、追加可能である。信号伝送手段５３に対応する追加ステップはＳ６２の後に挿入する。信号伝送手段５３の機能について述べた具体的態様は信号伝送手段５３に対応する追加ステップの処理についての具体的態様としても適用可能である。
【００４３】
本発明を適用したプログラムは、コンピュータを情報処理装置５０の各手段として機能させる。本発明を適用した別のプログラムは、情報処理方法６０の各ステップをコンピュータに実行させる。
【００４４】
本明細書は様々な範囲及びレベルの発明を開示している。それら発明は、本明細書で説明した様々な技術的範囲及び具体的レベルの各装置及び各方法だけでなく、拡張ないし一般化の範囲で、各装置及び各方法から独立の作用、効果を奏する１つ又は複数の要素を抽出したものや、１つ又は複数の要素を拡張ないし一般化の範囲で変更したものや、さらに、各装置間及び各方法間で１つ又は複数の要素の組合せを入れ換えたものを含む。
【符号の説明】
【００４５】
５０：情報処理装置、５１：使用判定手段、５２：割当て手段、５３：信号伝送手段、６０：情報処理方法。
【図１】
2010288050.tif 000003
【図２】
2010288050.tif 000004
【図３】
2010288050.tif 000005
【図４】
2010288050.tif 000006
【図５】
2010288050.tif 000007
【図６】
2010288050.tif 000008